(57)【要約】      （修正有）【課題】カワハギの様な釣りにくい魚に適した釣り用仕掛けを提供する。【解決手段】1箇所の幹糸２から、両側にハリス３が2〜複数個出ていてその先には釣り針４が1本結ばれている。それが、３連もしくは、複数連１定間隔でむすばれている。このことにより、魚（かわはぎ）は、片側をつつくと、もう片側が同時に連動して動き、餌となるオキアミなどが振動して生きたえさのようにアピールできる。または、動くこと自体が興味を示す源泉となり、針掛かりする魚もある。その結果、針掛かりしにくいカワハギの様な魚が、１度に２〜３匹針がかりして釣れてくる。【選択図】図１
2013090588.tif 000002
【特許請求の範囲】
【請求項１】
幹糸のハリス接続部位、１箇所同時に二本以上のハリスが出ていて、そのハリスが１〜複数連幹糸にハリスが繋がり釣り針がついている釣り用仕掛
【請求項２】
ハリス接続部位を３〜５有する請求項１に記載の釣り仕掛
【発明の詳細な説明】
【技術分野】
【０００１】
魚釣りの先端部である仕掛けに関する      
【背景技術】
【０００２】
サビキ釣りの仕掛けや、カワハギ、ひらめ，鰈、鯵，鯖、その他諸々の対象魚に対する釣り様仕掛けは存在する。が、どの仕掛けも経験や感を基にしたものであり、実証実験を基に科学的に造られた物はない。
【先行技術文献】
【特許文献】
【０００３】
【特許文献１】実用新案出願平９−１１９１２
【特許文献２】特許出願２０００−４１２４５
【非特許文献１】名古屋大学 農学部 資源生物科学科  教授山本 直之 先生のホームページURL;http://www.w3.org/1999/xhtmlより    魚とヒトは同じ脊椎動物の仲間で、大脳、間脳、中脳、橋（きょう：中脳と延髄の間）、延髄および小脳といったパーツは同じです。しかし、そのパーツは魚の生態を如実に反映して、種によって大きかったり小さかったりと多様です。例えば、夜行性のウツボは目をあまり使いません。匂いで好物のタコを探すため、嗅覚を処理する「嗅球」が巨大です。反対に昼間に視覚に依存した行動をするカワハギでは、視覚を受け持つ「視蓋（しがい）」がとても大きいのです。  脳を見ると生態がわかる！   脳を見れば、その魚がどんな生活をしているのかがわかるほどです。その中でとりわけ面白いのが味覚です。ヒトには舌に「味蕾（みらい）」という食べ物の味を感じる器官があり、すべての種ではありませんが、魚にはこれが身体の表面にもあるのです。コイにはその味蕾がヒゲに多数あります。味蕾でキャッチした情報は「顔面葉」という部分に到達するため、コイの顔面葉は大きくなっています。左右にヒゲを4本ずつ持つゴンズイもこの顔面葉が大きいのですが、コイと違うのはこの顔面葉にヒゲに対応した「地図」があることです。つまり、ヒゲAが感じた場合はあっちにおいしいものが、ヒゲBが感じた場合はこっちにというように、その位置がわかるようになっているのです。  シワシワの脳を持つヒメジ   さらにこのゴンズイの上をいくのが高級練り物製品の原料になっているヒメジです。水流によってヒゲを漂わせているだけのゴンズイと違い、ヒメジはヒゲを自ら動かしておいしいものを探すのです。ヒメジの顔面葉はヒトの大脳皮質のように層状構造をしていて、しかもしわが入っています。大量の感覚と運動系の情報を処理するために大きな面積が必要なためと考えられます。  以前は、魚の大脳は嗅覚処理だけにかかわるとされ、「嗅葉」と呼ばれてきました。しかし、実際にはいろいろな感覚が魚の大脳に送られることがわかってきました。魚とヒトの共通点は調べれば、まだまだたくさんあるかもしれません。
【０００４】
【非特許文献１】日本人の食卓に欠かすことのできない魚ですが、実は高いコミュニケーション能力を持っていることがわかってきました。例えば肝がおいしいカワハギは1匹でいると白っぽいのですが、何匹か一緒にいるとやがてケンカになって、勝ったものは斑紋（まだらの模様）が目立つようになり、負けたものは体色が黒っぽく変化します。また、カワハギにはツノのように見える「棘（きょく）」（特殊化した背鰭の一部）があり、これも勝った方はピンと立たせますが、負けた方はこれ以上攻撃されないようにとたたんでしまいます。つまり、カワハギは体色や斑紋、ツノというサインを使って複雑なコミュニケーションを行っているのです。名古屋大学 農学部 資源生物科学科 水圏動物学研究分野 教授山本 直之 先生の 文献より
【非特許文献２】服部名人のホームページhttp://www.shinkokyu-club.com/event/fishing/index5.html第５回カワハギ編  うつろなお目目。チューっと突き出たおちょぼ口。頭には、鋭く尖った一本角がニョキッとそそり立つ、エキセントリックな容姿。おとぼけ顔のへんてこな見た目とは裏腹に、実は、この奇妙なヤツはというと、『餌取り名人』との異名を持つ、クセモノ。それというのも、通常であれば、魚が餌に喰らいついたとき、手元には明確なアタリが伝わってくるわけだが、ヤツの場合は違う。さながらヘリコプターのように上下左右へと巧みに遊泳することができるため、餌の落下速度に合わせて泳ぎつつ、突き出た小さな口で器用に餌をかじり取るのだ。そのため、手元にアタリが出にくく、仕掛けを回収してみると、ものの見事に餌がスッカラカン。という有り様。妙技ともいうべき器用な泳ぎで、キレイサッパリ餌だけをかすめ取ってゆく、実に小賢しいヤツなのだ。そんなエキセントリックなクセモノとは、カワハギである）
【発明の概要】
【発明が解決しようとする課題】
【０００５】
(特許文献１)にある仕掛けでは、魚体を傷つけてしまうことからカワハギのみならず他の魚も段段、近づかなくなるなど弊害も大きい。(特許文献２)では、絡みやすく釣果も十分とはいえない。そこで、これらより、十分な釣果が期待できる仕掛けを考えた。今までの仕掛けでは、ふぐもく、特にカワハギの様な魚は、非特許文献２にもあるように釣れにくく、ベテランでも数釣りはなかなか難しかった。又、魚にアピールする為に金銀など良く光るものを幹糸に付けてアピールすることが主であり、効果が十分とはいえない。その様な釣りにくいカワハギ類のような魚でも飛躍的につることができる仕掛けを提供する。
【課題を解決するための手段】
【０００６】
名古屋大、山本教授の理論でも考えられるようにカワハギの様な魚は非常に戦闘的で視蓋が大きく発達しているので動くものに以上に反応する。非特許文献２にあるように餌獲り名人といわれているような魚でも、誰でもが数釣りが期待できる魚つり用仕掛けを考案した。図１に掲げる形状である。図１のように、1箇所の幹糸から、両側にハリスが2〜複数個出ていてその先には釣り針が1本結ばれている。それが、3連もしくは、複数連１定間隔でむすばれている。このことにより、魚（かわはぎ）は、片側をつつくと、もう片側が同時に連動して動きえさとなるオキアミなどが振動して生きたえさのようにアピールできる。または、動くこと自体が興味を示す源泉となり、針掛かりする魚もある。特に、カワハギ，ウマズラハギのようなふぐ目の魚は、この行動が顕著で当方が開発、実証したしかけでは非常に顕著である。この仕掛けだと、先ずは、連動することと、連動によって餌が非常に良く動きカワハギにアピールし、カワハギの餌に対する闘争心を増し競って餌を食おうとする。つまり、食い競いが起こることにより、釣りにくい魚の代表格であるカワハギが、爆発的につれることになる
【発明の効果】
【０００７】
この仕掛けにより、技術に頼らず子供から大人まで釣りの初心者からベテランまで誰でも海魚を他の仕掛けより数倍から数十倍釣ることが可能になる。特に、ふぐ目の魚、及びカワハギ類に関しては顕著な効果を発揮する。また、これにより釣りにくかった魚が簡単に釣る事が出来る事から、釣りに出かける人が増え釣り用品も買われるようになり業界の活性化にも大いに寄与する
【図面の簡単な説明】
【０００８】
【図１】図１は、この発明の釣り用仕掛け示す正面図である。
【図２】図２は、実釣試験結果である。
【発明を実施するための形態】
【０００９】
図１は、１スイベル２幹糸３ハリス４釣り針、以上であるが、仕掛け部位の長さ、ハリスの数、ハリス幹糸の太さなど各部位に関する事柄は、各々、釣りに関する条件により変わるものとする。特に、ハリス部の数に関して複数個とする。また、ここで、示した図に関しては、標準仕様を示した。図１の形態で、釣り針、釣り用糸、スイベル，猿環などで出来ている。仕掛け部位の長さ、ハリスの数、ハリス幹糸の太さなど各部位に関する事柄は、各々、釣りに関する条件により変わるものとする。標準的な仕様に関しては、道糸からつながるものとしてより戻しに使われる金属、猿環がｔｏｐにくる．この猿環に幹糸と呼ばれる、太目の釣り用糸を結節する。猿環から次のハリスまで１５０ミリ幹糸がのび、猿環から最初のハリスが平行に2本水平に結ばれている。長さは，各々30ミリと50ミリである。その先には、本結びで、ハゲ針3号が結ばれている。その幹糸とハリスの結節された所から150ミリ幹糸が続く。そこに、又、水平に2本ハリスが横方向に出ている。長さや結節の仕方は、1連目と同じである。そこから、１５0ミリ離れて三連目のハリスが水平方向に２本幹糸から出て結節され２連目と同じ長さ同じ仕様で、針が結ばれている。ソコから、幹糸が８０ミリ伸びて１０号のスナップ猿環と呼ばれる金属の縒り止めが付いている。ハリスの太さは２．５号で幹糸は３号糸を使用する。このような仕掛けで、誰でも数釣りが期待できる魚つり用仕掛けを考案した。図のように、1箇所の幹糸から、両側にハリスが2〜複数個出ていてその先には釣り針が1本ついている。それが、3連もしくは、複数連１定間隔でむすばれている。このことにより、魚（かわはぎ）は、片側をつつくと、もう片側が同時に連動して動きえさとなるオキアミなどが振動して生きたえさのようにアピールできる。または、動くこと自体が興味を示す源泉となり、針掛かりする魚もある。特に、カワハギ，ウマズラハギのようなふぐ目の魚は、この行動が顕著で当方が開発、実証したしかけでは非常に顕著である。このことは、添付の名古屋大，山本教授の文献からも推論できるが、当方は加えて図２にあるように、水産試験場での実験データーを動画や映像として捉へ付加する。このことにより、カワハギ類生態学にも踏み込んだ、仕掛けが出来たものと確信する。
【実施例】
【００１０】
図１及び図２
【産業上の利用可能性】
【００１１】
直接、釣り業界あるいは、漁業者に使用できる。これにより、釣り業界や、釣りファンに新風を引き起こすことが出来ると考える。
【符号の説明】
【００１２】
１スイベル２幹糸３ハリス４釣り針
【図１】
2013090588.tif 000003
【図２】
2013090588.tif 000004